(57)【要約】【課題】演出表示を行う表示画面の大型化を図ることが可能な遊技盤を提供する。【解決手段】表示孔１１と、表示孔１１の周りに位置された盤面３０Ｆに遊技部品を有した遊技領域３０Ａと、演出表示を行う表示画面により形成された演出表示部４５が遊技者から目視可能となるように表示孔の後方に配置された演出表示装置と、発射装置により発射された球を遊技領域３０Ａまで案内する発射通路２９と、を備えた遊技盤３０において、発射通路２９を通って遊技領域３０Ａに流入した球を整列させて１個ずつ遊技領域の左側領域である左側遊技領域３０Ｌの下部領域３０Ｌ１まで導く左部案内路１００を備え、左部案内路１００が釘を有しないことを特徴とする。【選択図】図２
2016015982.tif 000002
【特許請求の範囲】
【請求項１】
表示孔と、表示孔の周りに位置された盤面に遊技部品を有した遊技領域と、演出表示を行う表示画面により形成された演出表示部が遊技者から目視可能となるように表示孔の後方に配置された演出表示装置と、発射装置により発射された球を遊技領域まで案内する発射通路と、を備えた遊技盤において、
発射通路を通って遊技領域に流入した球を整列させて１個ずつ遊技領域の左側領域である左側遊技領域の下部領域まで導く左部案内路を備え、左部案内路が釘を有しないことを特徴とする遊技盤。
【請求項２】
左部案内路は、発射通路の終端と遊技領域に流入した球を遊技領域の右側領域である右側遊技領域まで案内する上部案内路の始端縁との間の開口部により形成された球流入口を下側球流入口と上側球流入口とに区画する球流入口区画体を備え、
球流入口区画体が、発射通路の終端と上部案内路の始端縁との間の中間地点よりも発射通路の終端に近い位置に設けられたことを特徴とする請求項１に記載の遊技盤。
【請求項３】
左部案内路は、発射通路の終端と遊技領域に流入した球を遊技領域の右側領域である右側遊技領域まで案内する上部案内路の始端縁との間の開口部により形成された球流入口を下側球流入口と上側球流入口とに区画する１つの球流入口区画体を備え、
球流入口区画体は、発射通路を超えて上側球流入口まで到達しなかった球又は発射通路を超えて下側球流入口を通過した球を受けて左部案内路内に案内する左側案内面と、発射通路を超えて上側球流入口を通過して左部案内路に衝突して跳ね返った球を受けて球を左部案内路内に案内する右側案内面とを備えたことを特徴とする請求項１に記載の遊技盤。
【請求項４】
左部案内路は、球を左側遊技領域の下部領域に排出する球出口部を備え、球出口部は、左部案内路内を流下してくる球の速度を減速させる減速部を備えたことを特徴とする請求項１乃至請求項３のいずれか一項に記載の遊技盤。
【請求項５】
左部案内路の右壁の下端とステージへのワープ路の入口とが連続するように構成されたことを特徴とする請求項１乃至請求項４のいずれか一項に記載の遊技盤。
【請求項６】
左部案内路に流入した球を左側遊技領域の下部領域に排出する球出口部の最終端である球出口とステージへのワープ路の入口との間の遊技盤の盤面には、球出口からワープ路の入口へと球を誘導する５本の釘による誘導路を備えたことを特徴とする請求項５に記載の遊技盤。
【発明の詳細な説明】
【技術分野】
【０００１】
本発明は、発射通路を通って発射通路の終端部に設けられている戻り球防止弁を超えて遊技領域に到達した球が内ガイドレールに沿って左側遊技領域の下側に流下するように釘を使用しない左案内路を備えた遊技盤に関する。
【背景技術】
【０００２】
従来、遊技盤に設けられた発射通路の終端部に設けられている戻り球防止弁を超えて遊技領域に到達した直後から上方に位置される遊技盤の左側遊技領域の盤面には、釘を用いた球誘導路が形成されている。
【先行技術文献】
【特許文献】
【０００３】
【特許文献１】特開２０１３−２４８４８５号公報（特に図４参照）
【発明の概要】
【発明が解決しようとする課題】
【０００４】
しかしながら、釘を用いた球誘導路では、釘を連ならせた所謂連釘等を用いるため、遊技盤の遊技部品を有した遊技領域のうち、左側領域（以下、左側遊技領域という）の上部側の盤面上において釘を配置するために多大なスペースを占有してしまう。このため、演出表示を行う表示画面の大型化を図れないという課題があった。
本発明は上記課題を解決すべく、演出表示を行う表示画面の大型化を図ることが可能な遊技盤を提供する。
【課題を解決するための手段】
【０００５】
上記課題を解決するための本発明に係る遊技機は、表示孔と、表示孔の周りに位置された盤面に遊技部品を有した遊技領域と、演出表示を行う表示画面により形成された演出表示部が遊技者から目視可能となるように表示孔の後方に配置された演出表示装置と、発射装置により発射された球を遊技領域まで案内する発射通路と、を備えた遊技盤において、発射通路を通って遊技領域に流入した球を整列させて１個ずつ遊技領域の左側領域である左側遊技領域の下部領域まで導く左部案内路を備え、左部案内路が釘を有しないことを特徴とする。
また、左部案内路は、発射通路の終端と遊技領域に流入した球を遊技領域の右側領域である右側遊技領域まで案内する上部案内路の始端縁との間の開口部により形成された球流入口を下側球流入口と上側球流入口とに区画する球流入口区画体を備え、球流入口区画体が、発射通路の終端と上部案内路の始端縁との間の中間地点よりも発射通路の終端に近い位置に設けられたことを特徴とする。
また、左部案内路は、発射通路の終端と遊技領域に流入した球を遊技領域の右側領域である右側遊技領域まで案内する上部案内路の始端縁との間の開口部により形成された球流入口を下側球流入口と上側球流入口とに区画する１つの球流入口区画体を備え、球流入口区画体は、発射通路を超えて上側球流入口まで到達しなかった球又は発射通路を超えて下側球流入口を通過した球を受けて左部案内路内に案内する左側案内面と、発射通路を超えて上側球流入口を通過して左部案内路に衝突して跳ね返った球を受けて球を左部案内路内に案内する右側案内面とを備えたことを特徴とする。
また、左部案内路は、球を左側遊技領域の下部領域に排出する球出口部を備え、球出口部は、左部案内路内を流下してくる球の速度を減速させる減速部を備えたことを特徴とする。
また、左部案内路の右壁の下端とステージへのワープ路の入口とが連続するように構成されたことを特徴とする。
また、左部案内路に流入した球を左側遊技領域の下部領域に排出する球出口部の最終端である球出口とステージへのワープ路の入口との間の遊技盤の盤面には、球出口からワープ路の入口へと球を誘導する５本の釘による誘導路を備えたことを特徴とする。
尚、上記発明の概要は、本発明の必要な特徴の全てを列挙したものではなく、特徴群を構成する個々の構成もまた発明となり得る。
【発明の効果】
【０００６】
上記各構成に係る遊技盤によれば、左部案内路が釘を有しないので、遊技盤の左側遊技領域の上部側の盤面上において左部案内路を設けるためのスペースを少なくでき、演出表示を行う表示画面の大型化が図られる。
【図面の簡単な説明】
【０００７】
【図１】パチンコ機の概略斜視図である。
【図２】遊技盤の正面図である。
【図３】枠状遊技部品の正面図である。
【図４】枠状遊技部品の左部案内路の内部構造を拡大して示した図である。
【図５】パチンコ機の制御ブロック図である。
【発明を実施するための形態】
【０００８】
以下、実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【０００９】
図１に示すように、遊技機の一例としてのパチンコ機１は遊技場の島設備に設置される縦長方形状の機枠２と、この機枠２の一側部においてヒンジ機構により開閉自在に取付けられた本体枠３と、当該本体枠３内に収容された遊技盤３０（図２参照）と、本体枠３の前方において開閉可能に軸着され、中央部に配設されたガラス板や及び樹脂板等の光透過性を有したパネル４Ａ及び当該パネル４Ａの下方に設けられた受皿６を有するパネル枠４と、パネル枠４の下部一側部より前方に突設されたハンドルユニット７、及びパネル枠４の上部両側部に配設されたスピーカユニット８を主たる構成として備える。パネル枠４が本体枠３側に閉じられた状態において、パチンコ機１の前方に着座する遊技者からは、パネル４Ａを介して本体枠３内に収容された遊技盤３０の遊技領域３０Ａ（図２参照）を視認することが可能である。
【００１０】
受皿６の中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御装置３００（図５参照）と接続されており、プッシュボタン９Ａ、及びダイアル９Ｂから出力される信号は、演出制御装置３００側に入力する。受皿６には、この他、球貸ボタンや返却ボタン等が配設されており、これらのボタン操作によって図外のＣＲユニットに投入されたＩＣカード等の記録媒体に記録された貸し球可能数に対応する遊技球の貸し出し動作、或いは記録媒体の返却動作が実行される。
【００１１】
［遊技盤の構成について］
本体枠３内に収容される遊技盤３０は、図２に示すように、前面が遊技盤３０の盤面３０Ｆを形成する盤面構成体３１Ａと、枠状遊技部品１０と、演出表示装置４５０（図５参照）と、入賞装置、表示装置、発光体５７（図５参照）、遊技釘３２、風車３３、アウト口３４等の遊技部品とを備える。
入賞装置、表示装置、発光体５７、遊技釘３２、風車３３、アウト口３４の遊技部品は、盤面構成体３１Ａに取付けられている。
枠状遊技部品１０は、枠の内側の孔が表示孔１１として機能する。当該枠状遊技部品１０は、盤面３０Ｆの中央部を囲むように盤面３０Ｆの周囲側に設けられた外ガイドレール２７の内側に配置されて、盤面３０Ｆよりも前方に位置するように盤面構成体３１Ａに取付けられている。
盤面構成体３１Ａは、少なくとも枠状遊技部品１０の表示孔１１の後方に位置する部分が前後に貫通する貫通孔３１Ｓに形成されている。
演出表示装置４５０は、盤面３０Ｆ（盤面構成体３１Ａの前面）よりも後側に設けられる。当該演出表示装置４５０は、表示画面である演出表示部４５が盤面構成体３１Ａに形成された貫通孔３１Ｓの後方に位置されるように、盤面構成体３１Ａの後方に設けられた図外の取付体に取付けられていることによって、遊技者がパチンコ機１の前方からパネル４Ａ、枠状遊技部品１０の枠で囲まれた表示孔１１、盤面構成体３１Ａの貫通孔３１Ｓを通して、演出表示部４５を目視可能となっている。
上述のパネル４Ａが閉じられた場合において、枠状遊技部品１０の枠の前端部とパネル４Ａの後面との間の間隔は、遊技球（以下、「遊技球」は単に「球」という場合がある）の直径よりも小さい寸法に形成され、表示孔１１の内側に遊技球が進入することは不可能とされる。
尚、枠状遊技部品１０は、上述した図外の取付体に取付けられる構成としてもよい。また、当該取付体に図外の役物装置等が取付けられた遊技盤であってもよい。
【００１２】
演出表示装置４５０は、例えば１〜８までの数字、及び特定のキャラクター等からなる演出図柄Ｓを変動表示可能な液晶表示装置であって、演出表示装置４５０の演出表示部４５には、演出図柄Ｓの他、演出図柄Ｓの変動表示に伴って予告演出やリーチ演出とも呼ばれる画像や動画によって表現される多様な変動演出が表示され、遊技者は一般に、演出表示部４５上に表示される変動表示、及び変動演出を視認しながら遊技を楽しむこととなる。
【００１３】
遊技盤３０には、遊技盤３０の盤面３０Ｆと枠状遊技部品１０と盤面３０Ｆの中央部を囲むように盤面３０Ｆの周囲側に設けられた外ガイドレール２７及び内ガイドレール２８とによって区画された遊技領域が形成される。
当該遊技領域は、遊技盤３０の盤面３０Ｆとパネル４Ａの後面との間に形成された球が流下可能な空間である。また、遊技盤３０の盤面３０Ｆには、多数の遊技釘３２や風車３３や入賞装置やアウト口３４等の遊技部品が設けられており、遊技者のハンドルユニット７の操作に応じて駆動する図外の発射装置により発射され、発射通路２９を経由して発射通路２９の終端部に設けられた戻り球防止弁２５を超えて遊技領域内に到達した球は、多数の遊技釘３２や風車３３によって不規則に誘導されつつ遊技領域内を流下して入賞装置に入賞したりアウト口３４に入って図外の回収樋を介して回収される。
発射通路２９は、遊技盤３０の盤面３０Ｆの左側に互いに対向するように配置された当該外ガイドレール２７と内ガイドレール２８との対向間のスペースと当該スペースを区画する外ガイドレール２７及び内ガイドレール２８とで形成される。
また、枠状遊技部品１０の枠の周囲には、球流路や入賞装置を有した遊技領域を備える。
盤面３０Ｆに多数の遊技釘３２や風車３３や入賞装置やアウト口３４が設けられて形成された遊技領域及び枠状遊技部品１０に設けられた遊技領域によって、遊技盤３０上の遊技領域３０Ａが構成される。
尚、遊技盤３０上の遊技領域３０Ａにおいて、遊技盤３０の左右中心線ＣＬよりも左側に位置する遊技領域を左側遊技領域３０Ｌといい、遊技盤３０の左右中心線ＣＬよりも右側に位置する遊技領域を右側遊技領域３０Ｒという。
【００１４】
図３に示すように、枠状遊技部品１０は、光透過性を有した例えば透明な合成樹脂により形成され、枠左部１０Ａと、枠上部１０Ｂと、枠右部１０Ｃと、枠下部１０Ｄとを備える。
図２に示すように、枠左部１０Ａは、発射通路２９を通って戻り球防止弁２５を超えて遊技領域３０Ａに流入した球を左側遊技領域３０Ｌの下部領域３０Ｌ１に案内するために、左側遊技領域３０Ｌの左側において外ガイドレール２７に沿って延長するように設けられて球流路による左側遊技領域３０Ｌを形成する左部案内路１００を備える。
枠上部１０Ｂは、戻り球防止弁２５を超えて遊技領域３０Ａに流入した球を右側遊技領域３０Ｒに案内する球流路による左側遊技領域３０Ｌ及び右側遊技領域３０Ｒを形成する上部案内路１２を備える。
枠右部１０Ｃは、球流路及び球流路の途中に設けられた入賞装置を有した右側遊技領域３０Ｒを備える。
枠下部１０Ｄは、球流路による左側遊技領域３０Ｌ及び右側遊技領域３０Ｒを形成するステージ１４及びステージ１４へのワープ路１５とを備える。
また、枠左部１０Ａ、枠上部１０Ｂ、枠右部１０Ｃ、枠下部１０Ｄは、それぞれ、盤面構成体３１Ａへの取付部となる取付フランジ１０Ｆを備え、当該取付フランジ１０Ｆを盤面構成体３１Ａの前面（盤面３０Ｆ）にねじ止め等することによって、枠状遊技部品１０が盤面構成体３１Ａに取付けられている。
【００１５】
図２；図３に示すように、左部案内路１００は、盤面３０Ｆと対向する後板１０１と、後板１０１の右側縁部より前方に立ち上がるように設けられた右側壁１０２と、後板１０１の左側縁部下側より前方に立ち上がるように設けられた左側壁１０３と、後板１０１と対向して右側壁１０２の前端縁と左側壁１０３の前端縁とに跨るように設けられた前板１０４と、で囲まれて構成され、左上側に球流入口１０５を備え、下側に球流出口１０６を備えた構成である。
即ち、左部案内路１００は、後板１０１と右側壁１０２と左側壁１０３と前板１０４とこれらで囲まれた釘無しの空間とで構成された流路と、当該流路への球流入口１０５と、当該流路からの球流出口１０６と、を備えた構成である。
つまり、表示孔１１と、表示孔１１の周りに位置された盤面３０Ｆに遊技部品を有した遊技領域３０Ａと、演出表示を行う表示画面により形成された演出表示部４５が遊技者から目視可能となるように表示孔１１の後方に配置された演出表示装置４５０と、図外の発射装置により発射された球を遊技領域３０Ａまで案内する発射通路２９と、を備えた遊技盤３０において、発射通路２９を通って遊技領域３０Ａに流入した球を整列させて１個ずつ遊技領域３０Ａの左側領域である左側遊技領域３０Ｌの下部領域３０Ｌ１まで導く左部案内路１００を備え、左部案内路１００が釘を有しないので、遊技盤３０の左側遊技領域３０Ｌの上部側の盤面３０Ｆ上において左部案内路１００を設けるためのスペースを少なくでき、演出表示を行う演出表示部４５を構成する表示画面の大型化が図られる。
【００１６】
左部案内路１００は、下部が球を１個ずつ流下させる球通路部１１０に形成され、上部が球を当該球通路部１１０の球入口１１２に導く球誘導部１１１に形成される。
即ち、球通路部１１０が下部に球流出口１０６を備え、球誘導部１１１が上部に球流入口１０５を備える。
【００１７】
球通路部１１０は、図４に示す通り、上部に整流球通路１１３を備えるとともに下部に球流出口１０６を備える。
整流球通路１１３は、後板１０１の下部と、内ガイドレール２８の内面及び戻り球防止弁２５の取付ベース２４の右壁面に近接した状態で当該内ガイドレール２８の内面及び戻り球防止弁２５の取付ベース２４の右壁面に沿って上下方向に延長する左側主壁１０３ａと、当該左側主壁１０３ａと平行に設けられた右側壁１０２の下部である右側主壁１０２ａと、後板１０１と対向して右側主壁１０２ａの前端縁と左側主壁１０３ａの前端縁とに跨るように設けられた前板１０４の下部とで囲まれて構成された球通路であって、当該整流球通路１１３の通路径が球１個の直径よりも大きくかつ球１個の直径の２倍よりも小さい寸法に形成されたことによって、球が１個ずつ流下可能なように構成されている。
また、左側主壁１０３ａの内側及び右側主壁１０２ａの内側には、それぞれ、整流球通路１１３の中央側に突出する複数のリブ１０７が整流球通路１１３の延長方向に所定の間隔を隔てて設けられている。当該複数のリブ１０７は、整流球通路１１３を流下する球の速度を減速させる減速手段として機能する。
尚、球流出口１０６の詳細については後述する。
【００１８】
球誘導部１１１は、整流球通路１１３の右側壁１０２の上端より上方に延長する右側壁１０２の上部と、当該右側壁１０２の上部の後端縁より延長する後板１０１の上部と、右側壁１０２の上部の前端縁より延長する前板１０４の上部とで囲まれた室１１４と、球流入口１０５とを備えた構成である。
【００１９】
図２に示すように、球流入口１０５は、戻り球防止弁２５の取付ベース２４の上端縁２４ｔ（発射通路２９の終端）と遊技領域３０Ａに流入した球を右側遊技領域３０Ｒまで案内する上部案内路１２の始端縁１２ａと後板１０１の左端縁と前板１０４の左端縁とで囲まれた開口部１１９と、当該開口部１１９に設けられた球流入口区画体１２０とを備える。
当該球流入口区画体１２０が戻り球防止弁２５の取付ベース２４の上端縁２４ｔ（発射通路２９の終端）と上部案内路１２の始端縁１２ａとの間において後板１０１と前板１０４とで挟まれるように設けられていることによって、開口部１１９が下側球流入口１１６と上側球流入口１１７とに区画された球流入口１０５が構成されている。
即ち、下側球流入口１１６は、戻り球防止弁２５の取付ベース２４の上端縁２４ｔと球流入口区画体１２０と後板１０１の左端縁と前板１０４の左端縁とで囲まれた開口部により構成される。
また、上側球流入口１１７は、球流入口区画体１２０と上部案内路１２の始端縁１２ａと後板１０１の左端縁と前板１０４の左端縁とで囲まれた開口部により形成される。
上側球流入口１１７は、「ブッコミ」と俗称される発射操作にて遊技領域３０Ａの上部中央よりもやや左側を狙って投入された球を球誘導部１１１に流入させるための球流入口として機能し、下側球流入口１１６は、「チョロ打ち」と俗称される「ブッコミ」よりも弱い発射操作にて遊技領域３０Ａにおける発射通路２９の終端に近い位置に投入された球を球誘導部１１１に流入させるための球流入口として機能する。
尚、より具体的には、球流入口区画体１２０は、戻り球防止弁２５の取付ベース２４の上端縁２４ｔと上部案内路１２の始端縁１２ａとの間の中央位置よりも戻り球防止弁２５の取付ベース２４に近い側に設けられる。
【００２０】
上述した球誘導部１１１の右側壁（右側壁１０２の上部）は、図４に示すように、整流球通路１１３を形成する右側壁１０２の上端１３０より右方向に延長する緩斜面部１３１と、上部案内路１２を形成する上部壁体１２ｘの左端１３２より遊技盤３０の中央側に延長して球衝突部１５０を設置するための設置面部１３３と、緩斜面部１３１の右端１３４と設置面部１３３の下端１３５とを繋ぐ斜面部１４０と、を備える。尚、図４では、壁構成をわかりやすくするために、後板１０１と前板１０４の図示を省略している。
【００２１】
緩斜面部１３１は、右上がり（左下がり）傾斜面に形成され、当該傾斜面の水平面に対する傾斜角度は、４°程度に形成されて、緩斜面部１３１上に載った球が右側から左側にゆっくりと移動して当該球通路部１１０の球入口１１２に到達するように構成されている。
【００２２】
斜面部１４０は、上部傾斜面部１４１と、下部急斜面部１４２と、を備える。
【００２３】
上部傾斜面部１４１は、斜面部１４０において、球流入口区画体１２０の上端１２０ｔと同一平面Ｈ上の位置（上部傾斜面部１４１の下端１４３）と設置面部１３３の下端１３５との間に位置する部分である。上部傾斜面部１４１は、戻り球防止弁２５の取付ベース２４の上端縁２４ｔと球流入口区画体１２０の上端１２０ｔと上部案内路１２を形成する上部壁体１２ｘの左端１３２とを繋ぐ仮想の湾曲面Ｗ（内ガイドレール２８の湾曲面及び上部案内路１２の湾曲面と曲率がほぼ同じである仮想の湾曲面）よりも遊技盤３０の中央側に位置されて、当該仮想の湾曲面Ｗに沿った当該仮想の湾曲面Ｗよりも右上がり（左下がり）傾斜角度が若干大きい湾曲面により形成される。
【００２４】
そして、当該仮想の湾曲面と上部傾斜面部１４１との間の距離は、最少距離が球１個の直径程度の寸法に形成され、最大距離が球１個の直径の２倍よりも小さい寸法に形成される。このため、上部傾斜面部１４１よりも遊技盤３０の内側の面積、即ち、枠状遊技部品１０の枠で囲まれた表示孔１１の大きさを大きくできるので、演出表示部４５を形成する表示画面の大型化が可能となる。
【００２５】
また、下部急斜面部１４２は、上部傾斜面部１４１の下端１４３より連続する垂直面に近い左下がり湾曲急斜面部（右側に膨らむように湾曲する湾曲面）１４４と、左下がり湾曲急斜面部１４４の下端１４５より下方に垂直に延長して緩斜面部１３１の右端１３４に連続する垂直面部１４６とを備える。
【００２６】
球衝突部１５０は、後板１０１（図２；図３参照）の上端部と前板１０４の上端部との間に挟まれるように設置面部１３３の左側に設けられる。
球衝突部１５０は、設置面部１３３と平行な右上壁１５１と、右上壁１５１の上端縁より左下方向に延長して上部案内路１２の始端側湾曲面を形成する左上壁１５２と、上部案内路１２の始端縁１２ａとなる左上壁１５２の下端縁より延長して右上壁１５１と平行な左下壁１５３と、左下壁１５３の下端縁と右上壁１５１の下端縁とに跨るように設けられて左上壁１５２と平行に形成された右下壁１５４とを備え、前後方向に延長する断面菱形形状の柱体により構成される。当該柱体は、例えば、前後寸法が１．５ｃｍ程度、菱形の各辺の長さ寸法が１ｃｍ程度である。
球衝突部１５０は、右上壁１５１と設置面部１３３とが接触又は僅かな隙間を隔てて対向するとともに、右下壁１５４と上部傾斜面部１４１とが接触又は僅かな隙間を隔てて対向するように、後板１０１の上端部と前板１０４の上端部との間に設けられている。
尚、この球衝突部１５０は、枠状遊技部品１０を形成する材料とは異なる材料、即ち、球が左部案内路１００を形成する材料に衝突した場合よりも球の跳ね返り距離が大きくなるような材料を用いて形成することで、球が左部案内路１００の球流入口区画体１２０や斜面部１４０に衝突した場合と球衝突部１５０に衝突した場合の球の跳ね返り具合の違いを楽しむことが可能となる。ただし、当該球衝突部１５０を備えない構成であってもよい。
【００２７】
球流入口区画体１２０は、左上受け面１２１と、右上受け面１２２と、左下受け面１２４と、右下受け面１２３とを備える。
【００２８】
左上受け面１２１は、当該左上受け面１２１の上端１２０ｔが上述した仮想の湾曲面Ｗと一致し、当該仮想の湾曲面Ｗよりも右上がり（左下がり）傾斜角度が若干大きい傾斜面により形成される。尚、当該左上受け面１２１は、仮想の湾曲面Ｗよりも遊技盤３０の中央側に位置される右上がり（左下がり）湾曲面であってもよい。
戻り球防止弁２５を超えた球が左上受け面１２１上に乗った場合、当該球は左上受け面１２１上を左下方向に移動し、下側球流入口１１６、球入口１１２を介して整流球通路１１３に入る。
【００２９】
右上受け面１２２は、左上受け面１２１の上端縁（球流入口区画体１２０の上端１２０ｔ）より遊技盤３０の中央側に延長する右下がり傾斜面１２５と、右下がり傾斜面１２５の下端縁より下方から図４中、右方向に突出するように湾曲して遊技盤３０の中央側に延長する湾曲面１２６とを備える。
右下がり傾斜面１２５は、戻り球防止弁２５を超え上側球流入口１１７を通過して球衝突部１５０や斜面部１４０に衝突した球が戻り球防止弁２５の方向に跳ね返ることを防止する障害壁面として機能することにより、上側球流入口１１７に向けて発射された遊技球を右上受け面１２２よりも図２中、右方向に誘導して左方向に戻ることを防止、延いてはファール球の発生を防止するこの右下がり傾斜面１２５は遊技球を同図中、右方向に案内するため可及的に右上方向に延長形成されるが、その右方向に延長形成される外形寸法の上限は可及的大型化が望まれる演出表示部４５の外形寸法に依存する。
湾曲面１２６は、戻り球防止弁２５を超え上側球流入口１１７を通過して球衝突部１５０や斜面部１４０に衝突した球を受け止めて球入口１１２の前段の緩斜面部１３１や左下がり湾曲急斜面部１４４に案内する案内壁面として機能することにより、右下がり傾斜面１２５によって右下がり傾斜面１２５の下端縁よりも下方から図４中、右方向に案内された遊技球を盤面左側下方に誘導回収し、確実にファール球の発生が防止される。尚、湾曲面１２６は、上述したように右下がり傾斜面１２５の下端縁よりも下方から右方向に案内された遊技球を盤面左側下方に誘導回収することが目的なので、その質量を可及的に軽薄短小化することが望ましいが、その外観は遊技球との衝突に耐えうる程度の素材、質量および外形寸法に基づいて定められ、さらに湾曲面１２６と上部傾斜面部１４１の下端１４３との間隙寸法は、可及的大型化が望まれる演出表示部４５の外形寸法に依存する。
即ち、球衝突部１５０や斜面部１４０に衝突して強く跳ね返る球を右下がり傾斜面１２５で受けてファール球の発生を防止するとともに、球衝突部１５０や斜面部１４０に衝突して跳ね返る球を湾曲面１２６で受け止めて球入口１１２の前段の緩斜面部１３１や左下がり湾曲急斜面部１４４に誘導するように構成されている。
【００３０】
右下受け面１２３は、湾曲面１２６の下端縁より上方に突出するように湾曲して左下方向に延長する湾曲面により形成される。
右下受け面１２３は、戻り球防止弁２５を超え上側球流入口１１７を通過して上部傾斜面部１４１を勢いよく流下してくる球や左下がり湾曲急斜面部１４４に衝突して跳ね返った球を受け止めて球入口１１２の前段の緩斜面部１３１に落とす受面として機能する。また、右下受け面１２３は、上述したような湾曲面に形成されているので、右下受け面１２３と左下がり湾曲急斜面部１４４との間を通過する球の球噛を崩す球噛防止手段としても機能する。
【００３１】
左下受け面１２４は、左上受け面１２１の下端縁より上方に突出するように湾曲しながら右下方向に延長して右下受け面１２３の下端縁に到達する湾曲面により形成される。
左下受け面１２４は、戻り球防止弁２５を超え下側球流入口１１６を通過した球を球入口１１２や緩斜面部１３１に案内する案内壁面として機能する。尚、左下受け面１２４を平面にすると左下受け面１２４に衝突した球が戻り球防止弁２５の方に戻りやすくなるため、左下受け面１２４を上述のような湾曲面に形成することで左下受け面１２４に衝突した球を戻り球防止弁２５の方に戻りにくくして、球入口１１２や緩斜面部１３１に案内できるように構成している。
【００３２】
枠状遊技部品１０（図２；図３参照）の枠で囲まれた表示孔１１の大きさをできるだけ大きくするという観点からすれば、球流入口区画体１２０（図４参照）を設けない方が、球誘導部１１１の右側壁を上述した仮想の湾曲面に近付けることができるので、好ましい。しかしながら、球流入口区画体１２０を設けない場合には、球衝突部１５０や球誘導部１１１の右側壁に衝突した球が戻り球防止弁２５の方に戻ってしまってファール球や球噛みが発生しやすくなる可能性がある。そこで、できるだけ小さい球流入口区画体１２０を１つだけ設けることで、枠状遊技部品１０の枠で囲まれた表示孔１１の外径寸法を大きくでき、かつ、ファール球や球噛みが発生しにくくなるようにした。
即ち、球流入口区画体１２０は、発射通路２９を超えて上側球流入口１１７まで到達しなかった球を受けて左部案内路１００（図３参照）内に案内する左側案内面としての左上受け面１２１と、発射通路２９を超えて下側球流入口１１６を通過した球を受けて左部案内路１００内に案内する左側案内面としての左下受け面１２４と、発射通路２９を超えて上側球流入口１１７を通過して左部案内路１００に衝突して跳ね返った球を受けて球を再び左部案内路１００内に案内する右側案内面としての右上受け面１２２及び右下受け面１２３を備えたので、枠状遊技部品１０の枠で囲まれた表示孔１１の外径寸法を大きくでき、かつ、ファール球や球噛みが発生しにくい左部案内路１００を構成できるようになる。
【００３３】
また、球流入口区画体１２０が、発射通路２９の終端と上部案内路１２の始端縁１２ａとの間の中間地点よりも発射通路２９の終端に近い位置に設けたので、上側球流入口１１７の上部案内路１２側と対向する上部傾斜面部１４１を上側球流入口１１７に近付けることができるようになり、上部傾斜面部１４１と上側球流入口１１７との間の距離を小さくできるので、枠状遊技部品１０の枠で囲まれた表示孔１１の大きさを大きくできるようになり、演出表示部４５を形成する表示画面の大型化が可能となる。
また、球誘導部１１１の右側壁において、球流入口区画体１２０と対向する部分を下部急斜面部１４２に形成し、かつ、球流入口区画体１２０と左下がり湾曲急斜面部１４４との間の距離を球の直径よりも大きく球の直径の２倍よりも小さい寸法に形成したことで、球流入口区画体１２０と下部急斜面部１４２との間を通過する球の球噛を崩す球噛防止手段として機能させることができ、かつ、枠状遊技部品１０の枠で囲まれた表示孔１１の大きさを大きくできるようにしたので、演出表示部４５を形成する表示画面の大型化が可能となる。
また、球誘導部１１１の右側壁において、当該球通路部１１０の球入口１１２の前段に緩斜面部１３１を設けたことで、緩斜面部１３１上に球を整列させて球入口１１２に１個ずつ誘導できるように構成した。
【００３４】
球誘導部１１１の右側壁及び整流球通路１１３の右側壁において、遊技盤３０の中央に最も近い位置に位置する緩斜面部１３１の右端１３４の外表面と上述した仮想の湾曲面との間の最短距離は、例えば５ｃｍに形成される。
また、球流入口区画体１２０と対向する左下がり湾曲急斜面部１４４、垂直面部１４６、緩斜面部１３１のうち球流入口区画体１２０と間の最短距離が最も大きい緩斜面部１３１の右端１３４と球流入口区画体１２０と間の距離は、例えば２．５ｃｍ程度に形成される。球流入口区画体１２０と左下がり湾曲急斜面部１４４との間、球流入口区画体１２０と垂直面部１４６との間、球流入口区画体１２０と緩斜面部１３１との間の距離は、それぞれ、例えば２．０ｃｍ〜２．４ｃｍ程度である。
下側球流入口１１６の上下幅である取付ベース２４の上端縁２４ｔと球流入口区画体１２０の左上受け面１２１の下端との間の距離は、例えば２ｃｍである。
上側球流入口１１７の上下幅である球流入口区画体１２０の上端１２０ｔと上部案内路１２の始端縁１２ａとの間の距離は、例えば４．７ｃｍである。
このように、球誘導部１１１及び整流球通路１１３は、内ガイドレール２８及び仮想の湾曲面から遊技盤３０の中央側方向に例えば５ｃｍ以下しか突出しないように構成したので、枠状遊技部品１０の枠で囲まれた表示孔１１の外径寸法を大きくでき、演出表示部４５を形成する表示画面の大型化が可能となる。
【００３５】
球流出口１０６は、左側主壁１０３ａの下端１０３ｂより内ガイドレール２８から離れる方向に傾斜して下るように延長して球の流下速度を減速させるための球減速部を形成する第１右下がり傾斜壁１６０と、第１右下がり傾斜壁１６０の下端より遊技盤３０の中央側に傾斜して下るように延長する第２右下がり傾斜壁１６１と、第２右下がり傾斜壁１６１の右下端より内ガイドレール２８に近づく方向に傾斜して下るように延長する左下がり傾斜壁１６２と、左下がり傾斜壁１６２の下端より内ガイドレール２８に近づくように左方向に延長する端壁１６３と、左側主壁１０３ａの下端１０３ｂよりも若干（数ｍｍ程度）下方に位置される右側主壁１０２ａ（整流球通路１１３の右側壁）の下端より右方向に第２右下がり傾斜壁１６１と平行を維持して延長する右下がり傾斜壁１６４と、右下がり傾斜壁１６４の右端より右側に膨らむように湾曲して下方に延長する湾曲壁１６５と、当該湾曲壁１６５の下端より右方向に水平に延長する水平壁１６６と、水平壁１６６の右端より右下方に傾斜して下端がワープ路１５の入口１６の上端まで延長する傾斜壁１６７と、を備える。
即ち、第１右下がり傾斜壁１６０と第２右下がり傾斜壁１６１と左下がり傾斜壁１６２と端壁１６３とで球流出口１０６の左壁が構成され、右下がり傾斜壁１６４と湾曲壁１６５と水平壁１６６と傾斜壁１６７とで球流出口１０６の右壁が構成される。つまり、左部案内路１００の右側壁１０２は、球通路部１１０の右壁と球誘導部１１１の右壁により構成され、左部案内路１００の左側壁１０３は、球通路部１１０の右壁により構成される。
尚、左部案内路１００の右側壁１０２の下端とステージ１４へのワープ路１５の入口１６とが連続するように構成されているので、左部案内路１００の球出口１０６Ｅからワープ路１５の入口１６まで球を誘導する釘の本数を少なくでき、釘調整の手間を少なくできるようになる。
【００３６】
第１右下がり傾斜壁１６０は、発射通路２９に沿った整流球通路１１３を流下してくる球が衝突することによって球の流下速度を落として右横方向に誘導する壁である。
球減速部を形成する第１右下がり傾斜壁１６０の水平面に対する傾斜角度は、６０°〜７０°程度に形成されることによって、整流球通路１１３を流下してくる球が衝突して整流球通路１１３内に戻るように跳ね返るようなことを防止できる。尚、第１右下がり傾斜壁１６０の水平面に対する傾斜角度が６０°よりも小さいと第１右下がり傾斜壁１６０に衝突した球が右横方向に強く跳ね返って減速効果が得られない可能性があり、また、第１右下がり傾斜壁１６０の水平面に対する傾斜角度を９０°に近くすると、整流球通路１１３を流下してくる球が第２右下がり傾斜壁１６１に直接衝突して上方の整流球通路１１３の方向に跳ね返って球噛発生の原因となる恐れがある。
【００３７】
第２右下がり傾斜壁１６１の傾斜角度は、水平面に対して４°〜５°程度に形成されて、第１右下がり傾斜壁１６０に衝突した球の速度をさらに減速させて盤面３０Ｆに送りだせるようにしている。
即ち、左部案内路１００は、球を左側遊技領域３０Ｌの下部領域３０Ｌ１に排出する球流出口１０６を備え、球流出口１０６は、左部案内路１００内を流下してくる球の速度を減速させる減速部としての第１右下がり傾斜壁１６０及び第２右下がり傾斜壁１６１を備えたので、球流出口１０６での球噛発生防止効果の高い左部案内路１００となる。
【００３８】
また、左下がり傾斜壁１６２と湾曲壁１６５と水平壁１６６と傾斜壁１６７とで、球通路の球出口１０６Ｅから盤面３０Ｆ上に排出される球の移動スペースが広くなり、盤面３０Ｆ上の球の動きに変化が生じやすい遊技性に優れた盤面構成となる。
【００３９】
球通路の出口下端となる第２右下がり傾斜壁１６１の右下端１６１ｔよりも下方に位置して、かつ、第２右下がり傾斜壁１６１の右下端１６１ｔとワープ路１５の入口１６の下端１６ｕとを繋ぐ仮想直線よりも上方に位置する盤面３０Ｆ上において、球通路の出口から盤面３０Ｆ上に流下した球をワープ路１５の入口１６まで誘導する誘導路は、盤面３０Ｆ上に設けられた５本の釘１７０〜１７４によって構成される。
ワープ路１５の入口１６は、ほぼ垂直面上に形成された開口により構成される。盤面３０Ｆ上からワープ路１５の入口１６に入った球は、ワープ路１５を通ってワープ路１５の出口１７からステージ１４上に移動し、第１始動入賞装置５０の入賞口の真上に位置されるようにステージ１４上における遊技盤３０の左右の中央位置に設けられた落下口１８を介して落下することで第１始動入賞装置５０に入賞しやすくなる。
【００４０】
第１釘１７０は、ワープ路１５の入口１６の下端１６ｕの左側に当該下端１６ｕと数ｍｍ程度離れた位置に設けられる。
第２釘１７１は、ワープ路１５の入口１６の上端１６ｔの左側に当該上端１６ｔと数ｍｍ程度離れた位置に設けられる。第２釘１７１は、第１釘１７０よりも右側に配置される。
第１釘１７０の根本周囲（盤面との境界部分）と第２釘１７１の根本周囲との間の距離は、球の直径よりも大きく球の直径の２倍よりも小さい寸法に形成される。
第３釘１７２は、第２釘１７１の左側真横に設けられる。第３釘１７２の根本周囲と第２釘１７１の根本周囲との間の距離、第３釘１７２の根本周囲と第１釘１７０の根本周囲との間の距離は、それぞれ球の直径よりも大きく球の直径の２倍よりも小さい寸法に形成される。
第４釘１７３は、第３釘１７２の左上に設けられる。第４釘１７３の根本周囲と第３釘１７２の根本周囲との間の距離は、球の直径よりも小さい寸法に形成される。
第５釘１７４は、第３釘１７２の根本周囲と第１釘１７０の根本周囲との間の中央位置の真上に設けられる。第５釘１７４の根本周囲と第２釘１７１の根本周囲との間の距離、第５釘１７４の根本周囲と第４釘１７３の根本周囲との間の距離、第５釘１７４の根本周囲と第３釘１７２の根本周囲との間の距離は、それぞれ球の直径よりも大きく球の直径の２倍よりも小さい寸法に形成される。
球流出口１０６の球出口１０６Ｅから盤面３０Ｆに流下する球が、少なくとも第４釘１７３か第５釘１７４のいずれかに衝突するように、第４釘１７３と第５釘１７４とが球出口１０６Ｅの下端となる第２右下がり傾斜壁１６１の右下端１６１ｔよりも下方に位置における盤面３０Ｆに設けられている。
【００４１】
第１釘１７０、第２釘１７１、第３釘１７２は、ワープ路１５の入口１６の左側真横において逆三角状に配置されて球をワープ路１５の入口１６への誘導する誘導釘として機能し、第４釘１７３及び第５釘１７４は、釘の向きを調整する、いわゆる釘調整を行うことによって、ワープ路１５の入口１６への入球率を変えるための調整釘として機能する。
実施形態では、球出口１０６Ｅの下端となる第２右下がり傾斜壁１６１の右下端１６１ｔよりも下方に位置して、かつ、第２右下がり傾斜壁１６１の右下端１６１ｔとワープ路１５の入口１６の下端１６ｕとを繋ぐ仮想直線よりも上方に位置する盤面３０Ｆ上において、球出口１０６Ｅから球通路の出口下端から盤面上に流下した球をワープ路１５の入口１６まで誘導する誘導路を、盤面３０Ｆ上に設けられた５本の釘１７０〜１７４で構成できるように、球出口１０６Ｅとワープ路１５の入口１６との間の距離を近付けた構成としたので、釘の本数を少なくでき、釘調整の手間を少なくできるようになる。
【００４２】
［入賞装置について］
図２に示すように、遊技盤３０の遊技領域３０Ａ内には、第１始動入賞装置５０、第２始動入賞装置５１、大入賞装置５２、複数の一般入賞装置５９等の入賞装置が配設されており、これらの入賞装置に球が入球すると、各入賞装置に対応した所定数の賞球が受皿６に払出される。
尚、球が第１始動入賞装置５０、又は第２始動入賞装置５１に入球すると、上記賞球の払出しの他、大入賞装置５２を開放動作させ、遊技者にとって有利な状態を醸成する特別遊技の可否に関する抽選（特図当否抽選）や、当該特別遊技の態様を決定する抽選を始めとする各種の抽選が主制御装置２００により実行される。即ち、第１始動入賞装置５０、又は第２始動入賞装置５１への球の入球は、上記各種の抽選を受ける契機となるものである。
【００４３】
第１始動入賞装置５０は、遊技領域３０Ａの左右方向略中央において、上記演出表示部４５の下部に位置されるステージ１４の下方に配設される。第１始動入賞装置５０は、遊技盤３０の盤面３０Ｆより前方に突出し、上方が開口した入賞口５０ａと、第１始動口検出スイッチＳＷ１（図５参照）とを備え、入賞口５０ａより内部に取り込まれた球は、内部に配設された第１始動口検出スイッチＳＷ１によって検出される。
第２始動入賞装置５１は、枠状遊技部品１０の枠右部１０Ｃに設けられた右側遊技領域３０Ｒにおいて前述の第１始動入賞装置５０、大入賞装置５２よりも上方に配設される。第２始動入賞装置５１は、遊技盤３０の盤面３０Ｆより前方に突出し、図外の入賞口と、第２始動口検出スイッチＳＷ２と、入賞口を開閉動作可能に設けられた開閉体５３とを備える。開閉体５３は、ソレノイドＳＯＬ１（図５参照）の駆動によって閉鎖状態と開放状態とを取り得る羽根状部材である。
第２始動入賞装置５１の上方には、通過ゲート５８が配設される。通過ゲート５８は、上下が開放した門型の遊技部品であって、その内部にはゲート検出スイッチＳＷ３（図５参照）が格納されている。通過ゲート５８を通過した遊技球は、ゲート検出スイッチＳＷ３によって検出される。
大入賞装置５２は、球が流下（落下）可能な落下流路５５と、落下流路５５への入口である大入賞口５６を開閉する開閉体５４とを備える。大入賞口５６は、特別遊技実行中以外の通常時においては、開閉体５４によって閉鎖され、落下流路５５への遊技球の入球が阻止される。一方で、特別遊技実行中においては開閉体５４が所定の周期により大入賞口５６の開放動作を行うことによって、落下流路５５への遊技球の入球が許容される。落下流路５５の途中には、大入賞口検出スイッチＳＷ４が配設される。開閉体５４は、ソレノイドＳＯＬ２（図５参照）等の駆動源により大入賞口の開閉動作が行われる。
【００４４】
［パチンコ機の内部構成について］
図５は、パチンコ機１の制御を担う制御手段の構成を示すブロック図である。同図に示すように、パチンコ機１は、主として遊技全般に係る基本動作を制御する主制御装置２００と、主として賞球の払出動作を制御する払出制御装置２５０と、主として遊技球の発射を制御する発射制御装置２６０と、前述の演出表示装置４５０を制御する演出制御装置３００とを備える。
【００４５】
主制御装置２００は、（メイン）ＣＰＵ２００ａ、（メイン）ＲＯＭ２００ｂ、及び（メイン）ＲＡＭ２００ｃを備えてなり、ＣＰＵ２００ａが、各検出スイッチやタイマからの入力に対応してＲＯＭ２００ｂに予め格納されたプログラムを読み出して、当該プログラムに従った演算処理を行い、主制御装置２００に接続された各検出スイッチＳＷ１〜ＳＷ５からの検出信号に基づいて各種の抽選処理や賞球払出処理を実行するとともに、上述の各ソレノイドＳＯＬ１；ＳＯＬ２や、遊技盤３０の遊技領域３０Ａの外方に配設された第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８といった各表示装置を直接的に制御したり、他の制御装置に多様なコマンドを送信する。また、このときＲＡＭ２００ｃは、ＣＰＵ２００ａの演算処理時におけるワークエリアとして機能し、演算に必要な各種のデータや、コマンドを一時的に保持する。
【００４６】
主制御装置２００には、払出制御装置２５０、及び演出制御装置３００が接続されている。払出制御装置２５０は、主制御装置２００と同様に不図示のＣＰＵ、ＲＯＭ、ＲＡＭを備えたマイクロコンピュータであって、主制御装置２００と一方向通信可能に接続されている。当該払出制御装置２５０には、外部情報出力端子板２５１が接続されている。外部情報出力端子板２５１は、主制御装置２００（ＣＰＵ２００ａ）及び払出制御装置２５０（払出ＣＰＵ）から出力された遊技の進行に関する種々の情報をパチンコ機１の設置店等に設けられたホストコンピュータ側に送信する。
【００４７】
また、払出制御装置２５０には、遊技者に対して賞球を払い出すための払出モータ２５２、及び賞球数計数スイッチ２５３が接続されている。払出制御装置２５０は、主制御装置２００から送信される払出コマンドに含まれる賞球数情報に基づいて所定の賞球数が払い出されるように払出モータ２５２を制御する。当該払出モータ２５２の駆動により払い出された賞球は、賞球数計数スイッチ２５３により検出され、払出制御装置２５０側において、適正な賞球数が払い出されたかが把握される。尚、払出制御装置２５０には、この他、受皿６に許容数以上の遊技球が貯留されていることを検知する皿満タン検出スイッチや、本体枠３の扉が開放していることを検知する扉開放検出スイッチ等の各種のスイッチが接続される。
【００４８】
発射制御装置２６０には、ハンドルユニット７内に搭載されたタッチセンサ２６１、発射ボリューム２６２、図外の発射機構内に受皿６に貯留された遊技球を送り込む球送りモータ２６３、及び発射機構内に格納された球発射モータ２６４が接続されており、発射制御装置２６０は、払出制御装置２５０からの発射許可およびタッチセンサ２６１からの入力を条件として、遊技者によるハンドルユニット７の操作量に応じて変化する発射ボリューム２６２からの入力信号に基づいて球発射モータ２６４を制御し、受皿６に貯留された遊技球を所定の発射力により遊技領域３０Ａ内に打ち出す。
【００４９】
演出制御装置３００は、遊技進行中や待機中における各種の演出を制御する。
演出制御装置３００は、（サブ）ＣＰＵ３００ａ、（サブ）ＲＯＭ３００ｂ、（サブ）ＲＡＭ３００ｃを備えてなり、主制御装置２００に対して、主制御装置２００から演出制御装置３００に対してのみ通信（一方向通信）が可能なように接続されている。当該演出制御装置３００は、主制御装置２００から送信される演出に関する各種のコマンドや内部タイマからの入力信号に基づいて、ＲＯＭ３００ｂに予め格納されたプログラムを読み出して、当該プログラムに従った演算処理を行い、演出制御装置３００に接続された演出表示装置４５０の演出表示部４５の画像制御、遊技進行中における楽曲や効果音などの音声をスピーカユニット８から出力させる音声出力制御や、遊技盤３０及びパネル枠４等の各所に配設された発光体（ＬＥＤ）５７を多様なパターンにより発行させる発光制御を実行する。このときＲＡＭ３００ｃは、ＣＰＵ３００ａの演算処理時におけるワークエリアとして機能し、演算に必要な各種のデータや、コマンド等を一時的に保持する。
【００５０】
また、演出制御装置３００は、ＣＰＵ３００ａと接続され、当該ＣＰＵ３００ａより送信される画像表示に係る各種のコマンドを受信して演出表示部４５に多様な画像を表示するためのＶＤＰ、及び上記画像表示処理中に必要な各種のデータ等を一時的に保存するＶＲＡＭ、音声制御のための音声合成ＬＳＩ等、各種制御に必要なハードウェアを備えている。また、演出制御装置３００には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。
【００５１】
以下、上記構成からなるパチンコ機１の遊技の流れについて概説する。
遊技者のハンドルユニット７の操作により遊技領域３０Ａ内を流下する遊技球が前述の第１始動入賞装置５０又は第２始動入賞装置５１に入球すると、主制御装置２００では特別遊技（所謂大当り遊技）の実行可否に関する抽選、特別図柄の種類を決定する抽選、特別図柄の変動パターンを決定する抽選等の種々の抽選を実行する。
そして、上記抽選のうち、特図当否抽選の結果が「当り」である場合には、前述の大入賞装置５２を開放動作させ、遊技球の入球を容易とする特別遊技が実行される。
【００５２】
尚、左部案内路１００の流路は、減速部を備えない球流出口部を備えた構成であってもよい。
また、左部案内路１００の流路は、後板１０１及び前板１０４を備えずに、少なくとも、盤面３０Ｆ上に右壁を備え、当該右壁と盤面と内ガイドレールとパネル板とで囲まれた流路で構成されてもよい。
【００５３】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００５４】
１１  表示孔、１２  上案内路、１４  ステージ、１５  ワープ路、１６  入口、
２９  発射通路、３０  遊技盤、３０Ａ  遊技領域、３０Ｌ  左側遊技領域、
３０Ｌ１  左側遊技領域の下部領域、３０Ｆ  盤面、４５  演出表示部、
１００  左部案内路、１０２  右側壁、１０５  球流入口、１１６  下側球流入口、
１０６Ｅ  球出口、１１７  上側球流入口、１２０  球流入口区画体、
４５０  演出表示装置。
【図１】
2016015982.tif 000003
【図２】
2016015982.tif 000004
【図３】
2016015982.tif 000005
【図４】
2016015982.tif 000006
【図５】
2016015982.tif 000007